(57)【要約】【課題】被測定装置との無線通信状態をユーザに容易に把握させることができる測定装置及び測定方法を提供する。【解決手段】測定装置１０は、ＤＵＴ１〜３と無線通信を行う送受信部１２と、送受信部１２を介しＤＵＴ１〜３からのデータを受信し該データに基づいてＤＵＴ１〜３の測定を行う測定部１３と、無線通信の接続状態が切断の状態に変化したと検出されたことを条件として、切断の状態に変化した理由を示す情報と、切断の状態の直前の直前接続状態の情報と、を含む切断関連情報を取得する切断関連情報取得部２４と、切断関連情報を表示部１５にリアルタイムに表示する制御を行う表示制御部１４と、を備える。【選択図】図１
2018152753.tif 000002
【特許請求の範囲】
【請求項１】
少なくとも１つの被測定装置（１〜３）と無線通信を行う無線通信手段（１２）と、
前記無線通信手段を介して前記被測定装置からのデータを受信し該データに基づいて前記被測定装置の測定を行う測定手段（１３）と、
前記無線通信の接続状態が予め定められた所定の状態に変化したことを条件として、前記所定の状態を示す情報と、前記無線通信の相手アドレスの情報と、を含む状態変化関連情報を取得する情報取得手段（２２、２４）と、
前記被測定装置ごとに前記状態変化関連情報を所定の表示装置（１５）にリアルタイムに表示する制御を行う表示制御手段（１４）と、
を備えたことを特徴とする測定装置。
【請求項２】
前記所定の状態が前記無線通信の接続が切断された状態であって、
前記情報取得手段（２４）は、前記無線通信の接続の切断が検出されたことを条件として、前記接続の切断の理由を示す情報と、前記切断の直前の接続状態を示す切断直前接続状態の情報と、前記切断の直前に接続されていた相手アドレスの情報と、を含む切断関連情報を前記状態変化関連情報として取得するものであり、
前記表示制御手段は、前記切断が検出された前記被測定装置ごとに前記切断関連情報をリアルタイムに表示する制御を行うものであることを特徴とする請求項１に記載の測定装置。
【請求項３】
前記情報取得手段（２２）は、前記無線通信の接続状態を示す接続状態情報を取得可能であって、
前記表示制御手段は、前記接続状態情報をリアルタイムに表示する制御を行うものであることを特徴とする請求項１又は請求項２に記載の測定装置。
【請求項４】
前記情報取得手段は、前記無線通信におけるデータレートの情報を前記接続状態情報に含めて取得するものであることを特徴とする請求項３に記載の測定装置。
【請求項５】
前記表示制御手段は、前記状態変化関連情報を所定の表示画面上にフローティング表示する制御を行うものであることを特徴とする請求項１から請求項４までのいずれか１項に記載の測定装置。
【請求項６】
少なくとも１つの被測定装置（１〜３）と無線通信を行う無線通信ステップ（Ｓ１２）と、
前記無線通信ステップにおいて前記被測定装置からのデータを受信し該データに基づいて前記被測定装置の測定を行う測定ステップ（Ｓ１５）と、
前記無線通信の接続状態が予め定められた所定の状態に変化したことを条件として、前記所定の状態を示す情報と、前記無線通信の相手アドレスの情報と、を含む状態変化関連情報を取得する情報取得ステップ（Ｓ１９、Ｓ２１）と、
前記被測定装置ごとに前記状態変化関連情報を所定の表示装置（１５）にリアルタイムに表示する制御を行う表示制御ステップ（Ｓ２０、Ｓ２２）と、
を含むことを特徴とする測定方法。
【発明の詳細な説明】
【技術分野】
【０００１】
本発明は、例えば無線通信技術を用いて被測定装置を測定する測定装置及び測定方法に関する。
【背景技術】
【０００２】
従来、この種の測定装置としては、無線データパケット送受信機を被測定装置として試験する試験システムが知られている（例えば、特許文献１参照）。
【０００３】
特許文献１に記載の従来のものは、送信機、受信機、コントローラ／プロセッサを備え、被測定装置を試験するものである。
【０００４】
コントローラ／プロセッサは、送信機及び受信機を制御することにより、既定数の有効データパケットが被測定装置から受信される後までか、既定の時間間隔が経過するまでか、又は既定数のデータ転送速度での有効データパケットが被測定装置から受信されるまで、肯定応答信号を返す送信を抑制するようになっている。
【０００５】
この構成により、従来ものは、必要な工程を削除することなく、又は試験の完全性を損なうことなく、試験を実施するために必要とされる時間を減少させることができる。
【先行技術文献】
【特許文献】
【０００６】
【特許文献１】特表２０１４−５０４０５３号公報
【発明の概要】
【発明が解決しようとする課題】
【０００７】
しかしながら、従来のものでは、例えば、被測定装置との相互接続シーケンス中に無線接続が切断された場合、その原因を究明するためには、被測定装置に対して送受信した通信フレームを全てキャプチャしてファイルに保存した後、そのファイルをデコードして解析するという煩雑な処理が必要であった。そのため、被測定装置との無線通信状態をユーザに容易に把握させることができる測定装置が望まれていた。
【０００８】
本発明は、前述のような事情に鑑みてなされたものであり、被測定装置との無線通信状態をユーザに容易に把握させることができる測定装置及び測定方法を提供することを目的とする。
【課題を解決するための手段】
【０００９】
本発明の請求項１に係る測定装置は、少なくとも１つの被測定装置（１〜３）と無線通信を行う無線通信手段（１２）と、前記無線通信手段を介して前記被測定装置からのデータを受信し該データに基づいて前記被測定装置の測定を行う測定手段（１３）と、前記無線通信の接続状態が予め定められた所定の状態に変化したことを条件として、前記所定の状態を示す情報と、前記無線通信の相手アドレスの情報と、を含む状態変化関連情報を取得する情報取得手段（２２、２４）と、前記被測定装置ごとに前記状態変化関連情報を所定の表示装置（１５）にリアルタイムに表示する制御を行う表示制御手段（１４）と、を備えた構成を有している。
【００１０】
この構成により、本発明の請求項１に係る測定装置は、被測定装置との無線通信の接続状態が予め定められた所定の状態に変化したと検出されたことを条件として、被測定装置ごとに状態変化関連情報を表示装置にリアルタイムに表示するので、被測定装置との無線通信状態をユーザに容易に把握させることができる。
【００１１】
本発明の請求項２に係る測定装置は、前記所定の状態が前記無線通信の接続が切断された状態であって、前記情報取得手段（２４）は、前記無線通信の接続の切断が検出されたことを条件として、前記接続の切断の理由を示す情報と、前記切断の直前の接続状態を示す切断直前接続状態の情報と、前記切断の直前に接続されていた相手アドレスの情報と、を含む切断関連情報を前記状態変化関連情報として取得するものであり、前記表示制御手段は、前記切断が検出された前記被測定装置ごとに前記切断関連情報をリアルタイムに表示する制御を行うものである構成を有している。
【００１２】
この構成により、本発明の請求項２に係る測定装置は、被測定装置との無線通信の接続の切断が検出されたことを条件として、切断が検出された被測定装置ごとに切断関連情報をリアルタイムに表示するので、被測定装置との無線通信状態をユーザに容易に把握させることができる。
【００１３】
本発明の請求項３に係る測定装置は、前記情報取得手段（２２）は、前記無線通信の接続状態を示す接続状態情報を取得可能であって、前記表示制御手段は、前記接続状態情報をリアルタイムに表示する制御を行うものである構成を有している。
【００１４】
この構成により、本発明の請求項３に係る測定装置は、無線通信の接続状態を示す接続状態情報を取得してリアルタイムに表示するので、被測定装置との無線通信状態をユーザに容易に把握させることができる。
【００１５】
本発明の請求項４に係る測定装置は、前記情報取得手段は、前記無線通信におけるデータレートの情報を前記接続状態情報に含めて取得するものである構成を有している。
【００１６】
この構成により、本発明の請求項４に係る測定装置は、無線通信におけるデータレートの情報を取得して表示するので、無線通信中にデータレートが変化する被測定装置の測定にとって好ましい。
【００１７】
本発明の請求項５に係る測定装置は、前記表示制御手段は、前記状態変化関連情報を所定の表示画面上にフローティング表示する制御を行うものである構成を有している。
【００１８】
この構成により、本発明の請求項５に係る測定装置は、測定条件や測定結果を表示しつつ、状態変化関連情報をフローティング表示することができるので、測定条件や測定結果の表示の視認性を向上させることができて好ましい。
【００１９】
本発明の請求項６に係る測定方法は、少なくとも１つの被測定装置（１〜３）と無線通信を行う無線通信ステップ（Ｓ１２）と、前記無線通信ステップにおいて前記被測定装置からのデータを受信し該データに基づいて前記被測定装置の測定を行う測定ステップ（Ｓ１５）と、前記無線通信の接続状態が予め定められた所定の状態に変化したことを条件として、前記所定の状態を示す情報と、前記無線通信の相手アドレスの情報と、を含む状態変化関連情報を取得する情報取得ステップ（Ｓ１９、Ｓ２１）と、前記被測定装置ごとに前記状態変化関連情報を所定の表示装置（１５）にリアルタイムに表示する制御を行う表示制御ステップ（Ｓ２０、Ｓ２２）と、を含む構成を有している。
【００２０】
この構成により、本発明の請求項６に係る測定方法は、被測定装置との無線通信の接続状態が予め定められた所定の状態に変化したと検出されたことを条件として、状態変化関連情報を表示装置にリアルタイムに表示するので、被測定装置との無線通信状態をユーザに容易に把握させることができる。
【発明の効果】
【００２１】
本発明は、被測定装置との無線通信状態をユーザに容易に把握させることができるという効果を有する測定装置及び測定方法を提供することができるものである。
【図面の簡単な説明】
【００２２】
【図１】本発明に係る測定装置の一実施形態におけるブロック構成図である。
【図２】本発明に係る測定装置の一実施形態において、送受信部とＤＵＴとの間における無線通信の接続状態が遷移する一例を示す図である。
【図３】本発明に係る測定装置の一実施形態において、測定装置が各ＤＵＴと順次、無線通信したことを示す図である。
【図４】本発明に係る測定装置の一実施形態における切断時の切断関連情報の一例を示す図である。
【図５】本発明に係る測定装置の一実施形態におけるフローチャートである。
【発明を実施するための形態】
【００２３】
以下、本発明の実施形態について図面を用いて説明する。
【００２４】
まず、本発明に係る測定装置の一実施形態における構成について説明する。
【００２５】
図１に示すように、本実施形態における測定装置１０は、被測定装置としてのＤＵＴ１〜３と無線通信を行って、ＤＵＴ１〜３の送信特性や受信特性を測定するものである。なお、被測定装置は、３つに限定されず、１つ以上であればよい。
【００２６】
測定装置１０は、送信データ生成部１１、送受信部１２、測定部１３、通信監視部２０、表示制御部１４、表示部１５を備えている。この測定装置１０は、ＣＰＵ、ＲＯＭ、ＲＡＭ、各種インタフェースが接続される入出力回路等を備えたマイクロコンピュータを含む。測定装置１０は、ＲＯＭに予め格納された制御プログラムを実行させることにより、マイクロコンピュータを測定装置１０の各機能部として機能させるようになっている。
【００２７】
送信データ生成部１１は、例えばＤＵＴ１の受信性能を評価するための受信測定を実施するため、所定の信号パターンのデータを発生する信号発生器を備えている。送受信部１２は、ユーザが操作する操作部（図示省略）からの指示信号に従って、所定の信号パターンのデータをパケット化してＤＵＴ１に送信し、ＤＵＴ１からの応答信号を受信するようになっている。ＤＵＴ２、３に対しても同様である。
【００２８】
送受信部１２は、送信部１２ａ及び受信部１２ｂを備え、例えば、ＩＥＥＥ８０２．１１に準拠する通信規格に基づいて、ＤＵＴ１〜３との間で無線通信接続を確立するようになっている。また、送受信部１２は、無線通信接続の確立後に、ＤＵＴ１〜３に対して、測定に関する各種データを送受信するようになっている。なお、送受信部１２は、無線通信手段の一例である。
【００２９】
送信部１２ａは、図示を省略したが、変調回路、ＤＡＣ（デジタルアナログコンバータ）、アップコンバータ、送信アンテナ等を備え、送信データ生成部１１が生成した送信データに対してディジタル変調やアップコンバート等の処理を行い、送信アンテナを介してＤＵＴ１〜３に送信するようになっている。
【００３０】
受信部１２ｂは、図示を省略したが、受信アンテナ、ダウンコンバータ、ＡＤＣ（アナログデジタルコンバータ）、復調回路等を備え、ＤＵＴ１〜３からの信号を受信アンテナを介して受信し、ダウンコンバート処理や復調処理等を行って、ＤＵＴ１〜３から受信した測定対象のデータを測定部１３に出力するようになっている。
【００３１】
測定部１３は、受信部１２ｂによって受信されたＤＵＴ１〜３の測定対象のデータを入力し、ユーザが操作部（図示省略）を操作して設定した測定条件に基づいてＤＵＴ１〜３の送信特性や受信特性の測定を行い、測定結果のデータを表示制御部１４に出力するようになっている。この測定部１３は、測定手段の一例である。
【００３２】
具体的には、測定部１３は、ＤＵＴ１〜３の送信特性として、例えば、送信パワー、ＥＶＭ（Error Vector Magnitude）、コンスタレーション等を測定可能である。また、測定部１３は、ＤＵＴ１〜３の受信特性として、例えば、受信感度、フレームエラーレート等を測定可能である。なお、測定部１３は、測定手段の一例である。
【００３３】
通信監視部２０は、送受信部１２に接続され、ポーリング又はイベントの受信により、送受信部１２とＤＵＴ１〜３との間の無線通信を監視するようになっている。また、通信監視部２０は、接続状態変化検出部２１、接続状態情報取得部２２、切断検出部２３、切断関連情報取得部２４、監視メモリ２５を備えている。
【００３４】
接続状態変化検出部２１は、送受信部１２とＤＵＴ１〜３との間における無線通信の接続状態が予め定められた所定の状態に変化したか否かを検出するようになっている。
【００３５】
接続状態情報取得部２２は、接続状態変化検出部２１によって所定の状態に変化したと検出されたことを条件として、所定の状態を示す情報と、無線通信の相手アドレスの情報と、を含む状態変化関連情報を取得するようになっている。また、接続状態情報取得部２２は、送受信部１２とＤＵＴ１〜３との間における無線通信の接続中において、例えば、測定装置１０側の接続状態や接続中の相手アドレスの情報、データレート等を取得するようになっている。この接続状態情報取得部２２は、情報取得手段の一例である。
【００３６】
切断検出部２３は、送受信部１２とＤＵＴ１〜３との間における無線通信の接続の切断を検出するようになっている。
【００３７】
切断関連情報取得部２４は、切断検出部２３によって無線通信の接続の切断が検出された場合に、監視メモリ２５に記憶されたログを参照し、その切断に関する情報を取得するようになっている。この切断関連情報取得部２４は、情報取得手段の一例である。
【００３８】
監視メモリ２５は、送受信部１２とＤＵＴ１〜３との間でやり取りされたメッセージのログを時系列的に記憶するようになっている。
【００３９】
表示制御部１４は、表示部１５に表示する所定の情報の表示制御を行うようになっている。また、表示制御部１４は、所定の情報を表示部１５にフローティング表示する表示制御を行うフローティング表示部１４ａを備えている。なお、表示制御部１４は、表示制御手段の一例である。
【００４０】
表示部１５は、表示制御部１４の表示制御に従って、所定の情報を表示するようになっている。この表示部１５は、表示装置の一例である。
【００４１】
次に、通信監視部２０が備える接続状態変化検出部２１、接続状態情報取得部２２、切断検出部２３、切断関連情報取得部２４の各機能について図２を用いて具体的に説明する。図２は、送受信部１２とＤＵＴ１〜３との間における無線通信の接続状態が遷移する一例を示している。
【００４２】
接続状態変化検出部２１は、図２に示した各状態を検出するようになっている。すなわち、接続状態変化検出部２１は、アイドル状態から認証が完了した認証完了状態に、次いで、接続が確立された接続確立状態に、さらに、ＤＵＴから測定対象データの受信が完了したデータ受信完了状態に、と遷移した場合に各状態を検出するものである。
【００４３】
接続状態情報取得部２２は、例えば図２に示した認証完了状態が接続状態変化検出部２１によって検出された場合には、認証完了状態に遷移したことを示す情報と、無線通信の相手アドレスの情報と、を含む状態変化関連情報を取得するようになっている。また、接続状態情報取得部２２は、図２に示した各状態の間、例えば、接続確立状態とデータ受信完了状態との間におけるＤＵＴとの無線通信において、測定装置１０側の接続状態や接続中の相手アドレスの情報、データレート等を取得するようになっている。
【００４４】
切断検出部２３は、図２に括弧書きで示した無線通信の接続の切断を検出するようになっている。具体的には、認証完了状態と接続確立状態との間、接続確立状態とデータ受信完了状態との間には、それぞれ、何らかの原因により無線通信の接続が切断される切断状態が生じる場合がある。切断検出部２３は、これらの切断状態を検出するものである。
【００４５】
切断関連情報取得部２４は、切断検出部２３によって無線通信の接続の切断が検出されたことを条件として、監視メモリ２５に記憶されたログを参照し、接続の切断の理由を示す情報と、切断の直前の接続状態を示す切断直前接続状態の情報と、を含む切断関連情報を取得するようになっている。
【００４６】
なお、図２に示した各状態は一例であって、ユーザによって予め任意に定めることができる。図２には示していない他の状態、例えば、認証開始状態、認証中状態、認証失敗状態、接続中状態、接続確立失敗状態等を定めてもよい。
【００４７】
次に、通信監視部２０の切断検出部２３によって無線通信の接続の切断が検出された場合について、図３及び図４を用いて説明する。
【００４８】
図３は、測定装置１０が、ＤＵＴ１、ＤＵＴ２、ＤＵＴ３、ＤＵＴ１と順次、無線通信したことを示している。また、図３には、ＤＵＴ１との最初の無線通信中、ＤＵＴ２との無線通信中、さらにＤＵＴ３との無線通信中に、それぞれ、何らかの原因が発生し無線通信が切断されたことが示されている。なお、図３において、最上段に示した無線通信が最も古く、最下段に示した無線通信が最も新しい。
【００４９】
通信監視部２０は、送受信部１２に対するポーリング又はイベントの受信により、接続途中の状態や切断理由の情報を取得する。
【００５０】
具体的には、通信監視部２０の切断検出部２３によって無線通信の接続の切断が検出された場合、切断関連情報取得部２４は、監視メモリ２５に記憶されたログを参照し、例えば図４に示すような、切断時の状態変化関連情報としての切断関連情報３１〜３４を取得する。図４に示した切断関連情報３１〜３４は、表示制御部１４の表示制御により表示部１５に表示される情報である。
【００５１】
図４に示すように、切断関連情報３１〜３４は、無線通信の切断が発生した時刻、切断の直前に接続されていた接続先アドレス（相手アドレス）、切断の直前の切断直前接続状態を示す最終ステート、切断理由、データレートの各情報を含んでいる。なお、図４において、最下段に示した切断関連情報３１が最も古く、最上段に示した切断関連情報３４が最も新しい。また、切断関連情報３１〜３４の各接続先アドレスで示されるＤＵＴは、それぞれ、ＤＵＴ１、ＤＵＴ２、ＤＵＴ３、ＤＵＴ１とする。
【００５２】
切断関連情報３１は、表示された時刻にＤＵＴ１との無線通信が切断されたことを示している。その際の最終ステートは"Connected"であり、切断の直前にはＤＵＴ１と無線通信接続されていたことが示されている。また、切断理由は"Deauthentication by Tester"であり、測定装置１０による切断通知により無線通信が切断されたことが示されている。
【００５３】
切断関連情報３２は、表示された時刻にＤＵＴ２との無線通信が切断されたことを示している。その際の最終ステートは"Connected"であり、切断の直前にはＤＵＴ２と無線通信接続されていたことが示されている。また、切断理由は"Disassociation by DUT"であり、ＤＵＴ２により無線通信が切断されたことが示されている。
【００５４】
切断関連情報３３は、表示された時刻にＤＵＴ３との無線通信が切断されたことを示している。その際の最終ステートは"Authenticated"であり、切断の直前にはＤＵＴ３との間で認証処理が完了していたことが示されている。また、切断理由は"Connection refusal by DUT"であり、ＤＵＴ３により接続拒否されたことが示されている。
【００５５】
切断関連情報３４は、ＤＵＴ３との無線通信の切断後、ＤＵＴ１と再び無線通信接続され、表示された時刻にＤＵＴ１との無線通信が切断されたことを示している。その際の最終ステートは"Connected"であり、切断の直前にはＤＵＴ１と無線通信接続されていたことが示されている。また、切断理由は"Deauthentication by Tester"であり、測定装置１０による切断通知により無線通信が切断されたことが示されている。
【００５６】
なお、データレートの欄には、無線通信が接続されている状態において、無線通信中のＤＵＴと測定装置１０との間のデータレートがリアルタイムに表示されるが、ここでは切断後の状態を示しているのでデータレートの欄は何も表示されていない。無線通信が接続されている状態においては、データレートの表示も含め、接続状態情報取得部２２によって取得された各状態の情報が、接続状態変化検出部２１によって検出されるごとに更新されながら一行の欄内に順次表示される。
【００５７】
また、表示制御部１４は、フローティング表示部１４ａにより、図４に示した切断関連情報３１〜３４を、測定結果を示す数値情報やグラフに重ねてフローティング表示するのが好ましい。フローティング表示することにより、測定装置１０は、表示部１５に測定条件や測定結果を表示しつつ、切断関連情報３１〜３４を表示することができ、測定条件や測定結果の表示の視認性を向上させることができて好ましい。
【００５８】
以上、図４に示したように、本実施形態における測定装置１０は、無線通信の接続の切断が検出された場合には、切断関連情報３１〜３４を表示することにより、ＤＵＴとの無線接続切断の理由をユーザに容易に把握させることができる。また、本実施形態における測定装置１０は、無線通信が接続されている場合には、無線通信の各状態の情報やデータレート等を表示することにより、それらの情報をユーザに容易に把握させることができる。
【００５９】
次に、本実施形態における測定装置１０の動作について図５のフローチャートを用いて説明する。
【００６０】
送受信部１２は、ユーザが操作する操作部（図示省略）からの指示信号に従って、ＤＵＴ１〜３のいずれかを選択する（ステップＳ１１）。
【００６１】
送受信部１２は、例えば、ＩＥＥＥ８０２．１１に準拠する通信規格に基づいて、選択したＤＵＴ（ＤＵＴ１とする）との間で無線通信を開始する（ステップＳ１２）。
【００６２】
通信監視部２０は、送受信部１２とＤＵＴ１との間の無線通信を監視し、接続状態変化検出部２１は、無線通信の接続状態が予め定められた所定の状態に変化したか否かを判断する（ステップＳ１３）。
【００６３】
ステップＳ１３において、無線通信の接続状態が変化したと判断されなかった場合には、受信部１２ｂは、例えばＤＵＴ１の送信特性を測定するための測定データを受信したか否かを判断する（ステップＳ１４）。
【００６４】
ステップＳ１４において、測定データを受信したと判断されなかった場合には、ステップＳ１２の処理に戻る。
【００６５】
前述のステップＳ１４において、測定データを受信したと判断された場合には、測定部１３は、受信部１２ｂが受信した測定データを測定する（ステップＳ１５）。
【００６６】
表示制御部１４は、測定部１３が得た測定結果を表示部１５に表示する表示制御を行い、表示部１５は、表示制御部１４の表示制御に従って測定結果を表示する（ステップＳ１６）。
【００６７】
送受信部１２は、ユーザが操作する操作部（図示省略）からの指示信号に従って、ＤＵＴ１を他のＤＵＴに変更するか否かを判断する（ステップＳ１７）。
【００６８】
ステップＳ１７において、ＤＵＴを変更すると判断した場合にはステップＳ１１に戻り、ＤＵＴを変更すると判断しなかった場合には処理を終了する。
【００６９】
前述のステップＳ１３において、無線通信の接続状態が変化したと判断された場合には、切断検出部２３は、無線通信の接続の切断が発生したか否かを判断する（ステップＳ１８）。
【００７０】
ステップＳ１８において、無線通信の接続の切断が発生したと判断された場合には、切断関連情報取得部２４は、監視メモリ２５に記憶されたログを参照して切断関連情報を取得し（ステップＳ１９）、切断関連情報を表示制御部１４に出力する。
【００７１】
表示制御部１４は、入力した切断関連情報を表示部１５に表示する制御を行う（ステップＳ２０）。その結果、表示部１５には、例えば図４に示したような切断関連情報が表示される。
【００７２】
前述のステップＳ１８において、無線通信の接続の切断が発生したと判断されなかった場合、すなわち、無線通信が接続されている状態においては、図４に示したような切断関連情報に代えて、接続状態変化検出部２１によって検出された各状態の情報が状態変化関連情報として取得される（ステップＳ２１）。取得された状態変化関連情報は、表示制御部１４に出力される。
【００７３】
表示制御部１４は、入力した状態変化関連情報を表示部１５に表示する制御を行う（ステップＳ２２）。その結果、測定装置１０は、無線通信が接続されている状態においては、各状態の情報やデータレート等をユーザに容易に把握させることができる。特に、無線通信が接続されている状態においてデータレートを表示することは、無線通信中にデータレートが変化するＤＵＴの測定にとって好ましい。
【００７４】
以上のように、本実施形態における測定装置１０は、ＤＵＴとの無線通信の接続状態が予め定められた所定の状態に変化したと検出されたことを条件として、状態変化関連情報を表示部１５にリアルタイムに表示するので、ＤＵＴとの無線通信状態をユーザに容易に把握させることができる。
【００７５】
特に、本実施形態における測定装置１０は、ＤＵＴとの無線通信の接続が切断された状態では、切断が検出されたＤＵＴごとに切断関連情報をリアルタイムに表示するので、ＤＵＴとの無線通信の切断理由をユーザに容易に把握させることができる。
【産業上の利用可能性】
【００７６】
以上のように、本発明に係る測定装置及び測定方法は、被測定装置との無線通信状態をユーザに容易に把握させることができるという効果を有し、例えば無線通信技術を用いて被測定装置を測定する測定装置及び測定方法として有用である。
【符号の説明】
【００７７】
１〜３  ＤＵＴ（被測定装置）
１０  測定装置
１１  送信データ生成部
１２  送受信部（無線通信手段）
１２ａ  送信部
１２ｂ  受信部
１３  測定部（測定手段）
１４  表示制御部（表示制御手段）
１４ａ  フローティング表示部
１５  表示部（表示装置）
２０  通信監視部（無線通信監視手段）
２１  接続状態変化検出部
２２  接続状態情報取得部（情報取得手段）
２３  切断検出部
２４  切断関連情報取得部（情報取得手段）
２５  監視メモリ
３１〜３４  切断関連情報
【図１】
2018152753.tif 000003
【図２】
2018152753.tif 000004
【図３】
2018152753.tif 000005
【図４】
2018152753.tif 000006
【図５】
2018152753.tif 000007